(57)【特許請求の範囲】
【請求項１】
蓋体にその内外に貫通するように形成した取付穴を有し、中央に内外に貫通した排気穴を有し外周の溝が前記取付穴の口縁に弾性的に嵌合させた吸気弁と、蓋体の外面まわりに連結されて前記吸気弁の排気穴に外部から挿入されて栓閉じする栓体と、を備え、蓋体の取付穴の口縁と吸気弁の溝との間で、外部から取付穴の前記口縁の下面に圧接して内外をシールしているシールフランジの上面に至る吸気通路が形成されていると共に、前記蓋体の下面に内側をシールしているシールフランジを囲う保護周壁が形成されていることを特徴とする密閉容器の吸排気弁構造。
【請求項２】
栓体は、蓋体の外面に、排気穴への挿入、抜去を許容する可撓連結部を介し一体成形されている請求項１に記載の密閉容器の吸排気弁構造。
【請求項３】
栓体は、吸排気弁構造の設置域を覆う蓋板の下面に一体成形され、蓋板の自由端部両側に設けた係止爪を、蓋板含む吸排気弁構造の設置域を収容する凹部の両側面に形成した係合凹部に、弾性係合させて栓閉じ状態にロックするロック機構を設けた請求項１、２のいずれか１項に記載の密閉容器の吸排気弁構造。
【発明の詳細な説明】
【技術分野】
【０００１】
本発明は、食品を収容する弁当箱などの繰り返し使用される密閉容器に設けて、内圧を調節するための吸排気弁構造に関するものである。
【背景技術】
【０００２】
この種の密閉容器は、下記の特許文献１が開示するように、収容物の汁や臭いが外へ漏れず、また、保温や細菌の侵入を防止するために、密閉性に優れたものでなければならない反面、熱い食品を収容した場合、収容物が冷えると内圧が低くなり蓋体が開けられなくなったりする。また、逆に、冷えた食品を密閉容器に入れたまま電子レンジに入れてマイクロ波で温めるような場合、内圧が上がって危険になる。このような問題に対応した吸排気弁構造は、例えば、特許文献１および下記特許文献２が開示している。
【０００３】
特許文献１は、舌片状の排気弁および吸気弁を１つの弁体に一体形成した単純形態でありながら、排気弁および吸気弁が互いに逆向きに位置ずれして、排気口、吸気口に対して排気弁は弁口の外側にて作用し、吸気弁は弁口の内側にて作用する断面Ｚ型の弁体となっている。そこで、弁体は、排気口、吸気口の間に開口した弁体固定部に一方の弁体全体を内外一方側から他方側に潜らせるようにして、排気弁および吸気弁が真逆の排気口の外側および吸気口の内側に位置させて組み付けられている。
【０００４】
特許文献２は、特許文献１に開示の吸排気弁構造の弁体の取り付けが容易でないことに対し、排気通路を外部から開閉する硬質材料よりなる弁体と、この弁体の裏面中央に突設された軸部に、その内端の膨出状態の係止部を弾性的に乗り越えて装着されたキャップ状のパッキンとを備えている。これにより、パッキンを、弁体および軸部を支持体および心材にして、排気通路と並ぶ弁穴に外側から内側に弾性的に挿入するだけで、弁穴に簡易に装着できる弁構造を開示している。この弁体の弁穴への装着によって、パッキンは弁穴の内側に外周のスカート部が圧接されてシール状態となり、その際のシール圧によって弁体を排気通路の外部開口に圧接させることで排気通路をも閉じる。
【０００５】
内圧が高まると、これが排気通路を通じて弁体に働くので、パッキンの弾性による閉じ力に打ち勝って、弁体をパッキンの外側への弾性変形的な持ち上げを伴い押し開き、圧力を外部に逃がす。また、内圧が低くなると、弁体は排気通路を通じ閉じ側に吸引されるが、パッキンは、その弁穴への圧着部の外まわりまで排気通路をバイパスして大気に通じていることから内側への吸引力を受けてスカート部が内側に弾性変形され、弁穴から離れるので、外気が吸引されるようにする。
【０００６】
一方、下記特許文献３は、蓋体の栓装着孔に通気栓をねじ締めして自身に装着しているシールリングによって密閉した状態でマイクロ波加熱で炊飯などの加圧調理を行い、加熱終了後、加熱殺菌した密閉状態のままで冷まし、室温もしくは冷蔵庫による低温保存する密閉容器を開示している。低温保温時に容器内が減圧して蓋体が容器本体に吸着し開けにくいか開けられない場合に、通気栓を緩めてシールを浮かせると、栓装着孔の内周に設けた通気道が外部に通じて外気を吸引し蓋体が容易に開けられるようになる。また、通気栓を取り外すと丸洗いができるとしている。
【先行技術文献】
【特許文献】
【０００７】
【特許文献１】特開平５−８４１１０号公報
【特許文献２】特開平８−３３５１５号公報
【特許文献３】特開平７―２９８９８２号公報
【発明の概要】
【発明が解決しようとする課題】
【０００８】
ところで、本出願人は、特許文献３が開示しているような加圧のために変形強度の高いポリカーボネート製のハードで重い容器本体および蓋体を利用するのではなく、容器本体および蓋体の双方、または少なくとも一方が特許文献１、２が開示するような加圧や減圧による変形に配慮が必要な軽量で安価なポリプロピレン製などとして、食品の温めはもとより、蒸気が多量に発生する炊飯を始めとした煮炊きする調理も可能とする密閉容器の開発をかねてから進めてきた。
【０００９】
開発する密閉容器の材質上、当然のことながら、特許文献３が開示するような加圧調理は実現できない。しかし、電子レンジでのマイクロ波による調理は短時間で行える反面、煮炊きする際の蒸気は短時間内に多量に発生する。このため、特許文献１、２が開示するような排気弁構造では、蒸気が外部に抜けにくく内圧が上がって蓋体や容器本体が変形する問題に開発当初から遭遇した。
【００１０】
そこで、排気通路を広げて、収容物を温める際の昇温はもとより、煮炊き時の多量な蒸気の発生にも対応することを試みたが、内容物保存中、弁当などとしての持ち運び中の臭いや汁類の漏れ出し、異物の混入などの防止上密閉できることが必須で、温度の高い収容物を入れて冷めていき、また冷蔵保存することによりさらに降温するような場合の万一の減圧に対応するために吸気機能も必須となり、これらを満足する吸排気弁構造は未だ提供されていない。
【００１１】
本発明は、このような問題点に鑑み、排気系と吸気系とを巧みに分断して排気系の排気口を単純にして蒸気の多量発生に対応し、減圧に対応する吸気系との組み合わせにより密閉にも簡単に対応できる密閉容器の吸排気弁構造を提供することを目的とする。
【課題を解決するための手段】
【００１２】
上記の目的を達成するために、本発明の密閉容器の吸排気弁構造は、蓋体にその内外に貫通するように形成した取付穴を有し、中央に内外に貫通した排気穴を有し外周の溝が前記取付穴の口縁に弾性的に嵌合させた吸気弁と、蓋体の外面まわりに連結されて前記吸気弁の排気穴に外部から挿入されて栓閉じする栓体と、を備え、蓋体の取付穴の口縁と吸気弁の溝との間で、外部から取付穴の前記口縁の下面に圧接して内外をシールしているシールフランジの上面に至る吸気通路が形成されていると共に、前記蓋体の下面に内側をシールしているシールフランジを囲う保護周壁が形成されていることを特徴としている。
【００１３】
このような構成では、排気通路をなす排気穴と、吸気通路とが、吸気弁の内周と外周とに分断形成されて、排気穴を単純で大きく形成できる上、これを開放した状態で密閉容器を使用できる。しかも、排気穴の栓体は吸気弁からの独立部材となり、蓋体に連結されたまま必要に応じ排気穴に挿入して吸気弁と協働して密閉し、また開放することが、吸気経路とは全く無関係に達成できる。これによって、吸気弁の吸気通路は栓体による排気穴の密閉に関係なく機能でき、密閉容器の使用上内圧が低下しても、吸気通路を通じてシールフランジ上面に働いている外圧との圧力差でシールフランジが内側に押し開かれて外気を吸引させられるので、減圧を回避することができる。
【００１４】
上記において、さらに、栓体は、蓋体の外面に、排気穴への挿入、抜去を許容する可撓連結部を介し一体成形されたものとすることができる。
【００１５】
このような構成では、上記に加え、さらに、栓体は蓋体との一体成形によって部品点数の増大にはならずに付帯させられるし、蓋体と一体成形する樹脂ヒンジ部や樹脂紐部といった可撓連結部の撓みによって排気穴に挿入しての密閉、内圧上昇時の押し戻しや抜去により双方を独立状態にすることができる。樹脂ヒンジ部ではこれを中心にした起伏によって栓体を排気穴に対し位置ずれなく挿入させられる。
【００１６】
上記において、さらに、栓体は、吸排気弁構造の設置域を覆う蓋板の下面に一体成形され、蓋板の自由端部両側に設けた係止爪を、蓋板を含む吸排気弁構造の設置域を収容する凹部の両側面に形成した係合凹部に、弾性係合させて栓閉じ状態にロックするロック機構を設けたものとすることができる。
【００１７】
このような構成では、上記に加え、さらに、栓閉じ状態で外観が複雑になりがちな吸排気弁構造の設置域を、部品点数の増大に繋がらない蓋板によって覆い平滑化できる。また、蓋板は栓体に比し広く、栓体が排気穴に挿入されているか否かによる姿勢や位置の違いを、拡大してまわりに視認させやすくする。また、栓体の閉じ状態がロック機構によってロックされるので、収容物の保存中や、弁当などとしての持ち運び中に他の取扱物が接触したり引っ掛かったりするなどして不用意に開かれるのを防止することができる。
【００１８】
本発明のそれ以上の目的および特徴は、以下の詳細な説明および図面によって明らかになる。本発明の各特徴はそれ自体で、または可能な限り複合して採用することができる。
【発明の効果】
【００１９】
本発明の密閉容器の吸排気弁構造によれば、排気通路をなす排気穴が、吸気通路との吸気弁の内、外周への分断で単純で大きく形成でき、これを開放したまま密閉容器を使用することで、収容物の温め時の昇圧には勿論、煮炊き時に多量に発生する蒸気のスムーズな発散にも対応でき、昇圧による容器本体や蓋体の変形や、容器本体と蓋体との間のシール部からの蒸気漏れによる無理な力がシール部やロック機構にはたらくのを防止することができる。また、排気穴の栓体は吸気弁から独立して、蓋体に連結されたまま、従って紛失などすることなく必要に応じ排気穴に挿入して吸気弁と協働して密閉し、また開放することが、吸気経路とは全く無関係に簡単に達成して、収容物の密閉保存ができ食品衛生上好適である。さらに、吸気弁の吸気通路は栓体による排気穴の密閉に関係なく機能でき、温度の高い食品の密閉保存で収容物が冷めたり冷蔵保存されて内圧が低下しても吸気弁が開いて吸気通路を通じ外気を吸引するので減圧を回避し蓋体や容器本体の変形を防止することができる。
【図面の簡単な説明】
【００２０】
【図１】本発明の実施の形態にかかる密閉容器の吸排気弁構造の１つの具体例を示す密閉容器要部の断面図と、その吸気弁の取付穴まわりを吸気経路と共に示す平面図である。
【図２】同吸排気弁構造部の向きを図１の場合と９０度変えて見た断面図である。
【図３】同吸排気弁構造部の平面図である。
【発明を実施するための形態】
【００２１】
本発明の実施の形態に係る密閉容器の吸排気弁構造につき、図１〜図３に示す具体例を参照しながら詳細に説明し、本発明の理解に供する。以下の説明は本発明の具体例であって、特許請求の範囲の記載事項を限定するものではない。
【００２２】
本実施の形態に係る吸排気弁構造は、密閉容器に適用され、排気系と吸気系とを巧みに分断して排気系の排気穴を単純にして蒸気の多量発生に対応し、減圧に対応する吸気系との組み合わせにより密閉にも簡単に対応できるようにする。
【００２３】
例えば、図１に示すような弁当用の密閉容器１００は、多くの場合、汁や臭いが外部に漏れ出さないように、容器本体１とシールパッキン３を介し閉じた蓋体２とを、蓋体２に樹脂ヒンジ部４ａなどで連結などされたレバー４によりシールパッキン３を挟圧するよう掛け止めて、タイト状態にロックするタイトロック容器とされている。また、容器本体１および蓋体２は、マイクロ波透過性、耐熱性、耐冷凍性、保形性を満足するポリプロピレンなどの樹脂によるインジェクション成形品とされ、透明なものが多い。しかし、これに限られることはなく、容器本体１が耐熱ガラスであったり、別な密閉手段が講じられたりするなど、上記密閉特性を示し、容器本体１および蓋体２の少なくとも一方が昇圧や減圧によって変形するような密閉容器に適用して有効である。
【００２４】
以上のような密閉容器１００などにおいて、本実施の形態に係る吸排気弁構造の図１〜図３に示す１つの具体例では、蓋体２にその内外に貫通するように形成した取付穴１１を有し、中央に内外に貫通した排気穴１２を有し外周の溝１３が取付穴１１の口縁１１ａに弾性的に嵌合させた吸気弁１４と、蓋体２の外面まわりに連結されて前記吸気弁１４の排気穴１２に外部から挿入されて栓閉じする栓体１５と、を備え、蓋体２の取付穴１１の口縁１１ａと吸気弁１４の溝１３との間で、外部から取付穴１１の前記口縁１１ａの下面に圧接して内外をシールしているシールフランジ１４ｂの上面に至る吸気通路１６を形成している。
【００２５】
このように排気通路をなす排気穴１２と、吸気通路１６とが、吸気弁１４の内周と外周とに分断形成されて、排気穴１２を単純で大きく形成できる上、これを開放した状態で密閉容器１００を使用できる。しかも、排気穴１２の栓体１５は吸気弁１４からの独立部材となり、必要に応じ排気穴１２に挿入して吸気弁１４と協働して密閉し、また開放することが、吸気通路１６とは全く無関係に達成できる。これによって、吸気弁１４の吸気通路１６は栓体１５による排気穴１２の密閉に関係なく機能でき、密閉容器１００の使用上内圧が低下しても、吸気通路１６を通じてシールフランジ１４ｂ上面に働いている外圧との圧力差でシールフランジ１４ｂが内側に押し開かれて外気を吸引させられるので、減圧を回避することができる。
【００２６】
したがって、吸気通路１６との吸気弁１４の内、外周への分断で単純で大きく形成できる排気穴１２を排気通路として、これを開放したまま密閉容器１００を使用することで、収容物の温め時の昇圧には勿論、煮炊き時に多量に発生する蒸気のスムーズな発散にも対応でき、昇圧により容器本体１や蓋体２が変形することや、容器本体１と蓋体２との間のシール部からの蒸気漏れによる無理な力がシール部や掛け止め機構に働くのを防止することができる。
【００２７】
また、排気穴１２の栓体１５は吸気弁１４から独立して、蓋体２に連結されたままで、従って紛失するようなことなく、必要に応じ排気穴１２に挿入して吸気弁１４と協働して密閉容器１００を密閉し、また開放することが、吸気通路１６とは全く無関係に簡単に達成して、収容物の密閉保存ができ食品衛生上好適である。さらに、吸気弁１４の吸気通路１６は栓体１５による排気穴１２の密閉に関係なく機能でき、温度の高い食品の密閉保存時に収容物が冷めたり冷蔵保存されて内圧が低下しても吸気弁１４が開いて吸気通路１６を通じ外気を吸引するので減圧を回避し蓋体２や容器本体１の変形を防止することができる。
【００２８】
さらに、栓体１５は、蓋体２の外面に、排気穴１２への挿入、抜去を許容する可撓連結部２１を介し一体成形されたものとしている。これにより、栓体１５は蓋体２との一体成形によって互いに部品点数の増大にはならずに付帯させられるし、蓋体２と一体成形する樹脂ヒンジ部２１や樹脂紐部といった可撓連結部の撓みによって排気穴１２に挿入しての密閉、内圧上昇時の押し戻しや抜去により双方を独立状態にすることができる。図１(ａ)に示す樹脂ヒンジ部２１では樹脂ヒンジ部２１を中心にした起伏によって栓体１５を左右に振れたりせず排気穴１２に対し位置ずれなく容易かつ確実に挿入されるし、人手による抜去がこじれなく確実になされるので、排気構造の損傷の防止が図れる。
【００２９】
また、栓体１５は、吸排気弁構造の設置域を覆うように蓋体２の上面に一縁が樹脂ヒンジ部２１で一体に連結された蓋板２２の下面に一体成形され、蓋板２２の自由端部両側に設けた係止爪２２ａを、蓋板２２を含む吸排気弁構造の設置域を収容する凹部２３の両側面に形成した係合凹部２３ａに、弾性係合させて栓閉じ状態にロックするロック機構を設けている。
【００３０】
これにより、栓閉じ状態で外観が複雑になりがちな吸排気弁構造の設置域を、部品点数の増大に繋がらない蓋板２２によって覆い平滑化できる。また、蓋板２２は栓体１５に比し広く、栓体１５が排気穴１２に挿入されているか否かによる姿勢や位置の違いを、拡大してまわりに視認させやすくする。また、栓体１５の閉じ状態がロック機構によってロックされるので、収容物の保存中や、弁当などとしての持ち運び中に他の取扱物や混在物が接触したり引っ掛かったりするなどして不用意に開かれてしまうのを防止することができ、臭いや汁類の漏れ出し、異物の混入などを防止できる。ロック機構の採用で、栓体１５の排気穴１２への挿入は、臭いや汁類が漏れ出るのを防止する程度に密嵌すればよく、弾性的に圧入する程度でよい。
【００３１】
さらに詳述すると、吸気弁１４は耐熱性、弾性に優れた例えばシリコンゴムよりなり、図１（ａ）に示すように、外周の溝１３が前記取付穴１１の口縁１１ａへの溝１３の弾性的な嵌め合わせによって、溝１３上の基部フランジ１４ａと溝１３下のシールフランジ１４ｂとで取付穴１１の口縁１１ａを挟み付けた状態で装着されて、栓体１５が挿入される排気穴１２を取付穴１１によって溝１３の底部まわりからバックアップするので、排気穴１２と栓体１５との所定の密嵌合状態を確保しやすい。
【００３２】
栓体１５は、筒状で上端が蓋板２２で閉じられ、下端が開放されたキャップ形状をなし、径方向に幾分の弾性を発揮するので、下端が閉じたり、中実体であったりする場合に比して、吸気弁１４の排気穴１２との圧入によって吸気弁１４に過剰な負担を与えることはない。
【００３３】
吸気通路１６は、蓋体２と基部フランジ１４ａおよび溝１３との間の少なくとも一方で形成されればよいが、図示例では図１（ａ）（ｂ）、図２に示すように、強度の高い蓋体２側で形成してある。具体的には、取付穴１１の内周に形成した切欠き部１６ａと、この切欠き部１６ａに繋がって取付穴１１の口縁１１ａの基部フランジ１４ａが圧接する上面に、基部フランジ１４ａの圧接域よりも外側に張り出すように刻設した溝１６ｂとで形成している。これにより、吸気弁１４の側に局部的な溝などができて強度が低下するようなことを防止している。なお、吸気通路１６は、図１（ｂ）に示すように取付穴１１まわりの周方向４か所に等配して設けているが、これに限られることはない。
【００３４】
さらに、吸気弁１４のシールフランジ１４ｂは、図１（ａ）に示すように、内周側から外周に向け厚みが減じ、かつ、蓋体２の下面への圧接代Ｓが増大するリップ形態をなしたものとしている。これにより、密閉容器１００の内圧が高まる程、シールフランジ１４ｂの外周部が蓋体２の下面に強く圧着されていくので、内圧がシールフランジ１４ｂと蓋体２下面との間に潜り込むのを阻止することができる。従って、内圧でシールフランジ１４ｂの厚みの薄い外周部が蓋体２の下面から捲れあがって吸気通路１６を通じ内圧がイレギュラーに逃げ、収容物の水分条件に悪影響するようなことを防止することができる。
【００３５】
また、蓋体２の上面には、図１、図２に示すように、吸気弁１４の基部フランジ１４ａを囲い、基部フランジ１４ａよりも低い保護周壁３１を設けている。これにより、保護周壁３１が吸気弁１４の基部フランジ１４ａを囲っていることにより、基部フランジ１４ａに不用意な外力が及ぶのを抑えながら、基部フランジ１４ａよりも低いことにより、シールフランジ１４ｂに比し小径な基部フランジ１４ａの側に手を掛けて起こし取付穴１１をシールフランジ１４ｂ側に潜らせての取り外し作業を容易にする。従って、吸気弁１４単体の、取付穴１１単体の丸洗いが簡単に行える。
【００３６】
同様に、蓋体２の下面には図１（ａ）、図２に示すように、吸気弁１４のシールフランジ１４ｂを囲い、シールフランジ１４ｂと同等かそれよりも若干高い保護周壁３２を設けている。これにより、保護周壁３２が吸気弁１４のシールフランジ１４ｂをそれと同等か若干高く囲っていることにより、シールフランジ１４ｂの、特に蓋体２下面に最も強く密着し、かつ最も薄い外周部に不用意な外力が及んでの、引っ掛かりによる変形や損傷を抑えることができる。従って、栓体１５と協働した排気機能、蓋体２との間での吸気機能を長期に適正に発揮することができる。
【００３７】
なお、特許文献１、２が開示する吸排気弁構造は、排気弁、吸気弁共に弾性的な閉止力を受けて通常は閉止状態を保っている。排気通路は特に、水分が蒸発した水蒸気のほか、油分など水以外の蒸気なども含み、これらが複合しての濡れ汚れが生じやすい。しかし、このような汚れは弁体と排気通路との圧着面に残りやすく、蓄積しやすいが、そのままでは洗浄が及び難く堆積する。また、臭い付きの元になる。
【００３８】
したがって、効果的な洗浄は吸排気弁を取り外して行うしかない。これを使用の度に行うのでは面倒であるし、吸排気弁を損傷させやすく、吸排気弁を紛失しやすい問題がある。使用回数に対する洗浄回数を減らすと、その分だけ臭い付きの問題があるし、夏場では細菌繁殖の原因になりかねない。
【００３９】
また、特許文献２の硬質材料よりなる弁体は、排気通路の外部開口を閉じる面にシール性を高める軟質材量よりなりシール部材を配設する必要があり、部品点数、組み立て工数の増大、コスト上昇の原因になる。
【００４０】
さらに、特許文献３が開示する排気構造は、栓装着孔にねじ込む通気栓を用いたもので、栓装着孔および通気栓共にねじが切られるので、洗浄し難いディテール部が多い上に、通気栓は密閉のためにシールリングを装着しており、これも洗浄し難いディテール部を形成してしまう。従って、洗浄に不便である。なお、通気栓は単体で取り外すと紛失の怒れがある。
【００４１】
本実施の形態の栓体１５および排気穴１２共に、簡単な形態で、栓開きによって分離されると、汚れやすい排気系をディテール部分なしに開放し丸洗いなどお手入れするのに便利で清潔に保ちやすい。
【００４２】
また、吸気系は排気系に比し汚れにくいが、何回目かに１回洗浄するような場合でも、吸気弁１４単体を、具体的には基部フランジ１４ａなどの一部を取付穴１１から弾性的に抜き出せば取付穴１１から取り外して対応でき、特許文献１、２が開示する技術のように吸排気弁を同時に着脱する場合のような不便はない。また、このような吸気弁１４の機能は、吸気弁１４をシリコンゴム製とすることにより耐熱性、弾性復元力によるシール性を長期に保って保証することができる。
【００４３】
ここで、栓体１５は、蓋体２の外面にどのように連結されても、収容物の出し入れ、温めなどに影響しないが、図示例では図１（ａ）に示すように、排気穴１２への挿入、抜去を許容する可撓連結部２１を介し一体成形されたものとしてある。これにより、部品点数の増大にはならずに栓体１５を蓋体２に付帯させられるし、蓋体２と一体成形する可撓連結部２１の撓みによって排気穴１２に挿入しての密閉、内圧上昇時の押し戻しや抜去により双方を丸洗いに便利な独立状態にすることができる。
【産業上の利用可能性】
【００４４】
本発明は、密閉容器において、排気系の排気口を単純にして蒸気の多量発生に対応し、減圧に対応する吸気系との組み合わせにより密閉にも簡単に対応できるようにするのに実用できる。
【符号の説明】
【００４５】
１  容器本体
２  蓋体
１１  取付穴
１２  排気穴
１３  溝
１４  吸気弁
１４ａ  基部フランジ
１４ｂ  シールフランジ
１５  栓体
１６  吸気通路
２１  可撓連結部（樹脂ヒンジ部）
２２  蓋板
２２ａ  係止爪
２３  凹部
２３ａ  係合凹部
３１、３２  保護周壁
【図１】
0005697948.tif 000002
【図２】
0005697948.tif 000003
【図３】
0005697948.tif 000004